(57)【特許請求の範囲】
【請求項１】
天井部に吊下げアイボルトを取付けた電気機器収納用箱であって、
天井面側のアイボルト取付面と、下方に垂下する補強取付面とを備えた係止金具を箱本体の天井部内面に配置し、この係止金具のアイボルト取付面に吊下げアイボルトを固定した構造を有し、
この係止金具の補強取付面を、箱本体内部に電気機器を取付けるための機器取付手段に固定したことを特徴とする電気機器収納用箱。
【請求項２】
係止金具の補強取付面が固定される機器取付手段が、箱本体の内面に固定された機器取付部、マウントレール、マウントレール固定用フレーム部材のいずれかであることを特徴とする請求項１記載の電気機器収納用箱。
【請求項３】
機器取付部は、背面板の内面に取付ボルトの頭部を保持できる取付板によって固定されており、取付ボルトに電気機器を取り付ける機器取付基板及び係止金具を固定したものである請求項２記載の電気機器収納用箱。
【請求項４】
係止金具が、アイボルト取付面の１辺に補強取付面を垂下させたＬ字状のものであることを特徴とする請求項１〜３のいずれかに記載の電気機器収納用箱。
【請求項５】
係止金具が、アイボルト取付面の２辺に補強取付面を垂下させたものであることを特徴とする請求項４記載の電気機器収納用箱。
【請求項６】
係止金具が、アイボルト取付面と補強取付面との間に補強部を備えたものであることを特徴とする請求項４もしくは５記載の電気機器収納用箱。
【発明の詳細な説明】
【技術分野】
【０００１】
本発明は、天井部に吊下げアイボルトを取付けた電気機器収納用箱に関するものである。
【背景技術】
【０００２】
大型の電気機器収納用箱には、設置工事の際にクレーン等によって吊り上げるための吊下げアイボルトが天井部に取付けられている。特許文献１に記載されているように、箱本体の天井面に補強板を当てて吊下げアイボルトを貫通させ、箱本体の内側のナットにより固定する構造が一般的である。
【０００３】
しかしこのような従来構造では、吊り上げ時に、アイボルトが取付けられた天井部のみに負荷が掛かることとなり、天井板や、天井板と側面板あるいは背面板との溶接部などに負荷が集中し、これらの部分が変形したり破断したりするおそれがあった。
【先行技術文献】
【特許文献】
【０００４】
【特許文献１】特開２００６−８７２５４号公報
【発明の概要】
【発明が解決しようとする課題】
【０００５】
本発明の目的は上記した従来の問題点を解決し、吊り上げ時に天井部に作用する負荷を分散し、箱の変形や破断のおそれをなくした電気機器収納用箱を提供することである。
【課題を解決するための手段】
【０００６】
上記の課題を解決するためになされた本発明は、天井部に吊下げアイボルトを取付けた電気機器収納用箱であって、天井面側のアイボルト取付面と、下方に垂下する補強取付面とを備えた係止金具を箱本体の天井部内面に配置し、この係止金具のアイボルト取付面に吊下げアイボルトを固定した構造を有し、この係止金具の補強取付面を、箱本体内部に電気機器を取付けるための機器取付手段に固定したことを特徴とするものである。
【０００７】
なお請求項２のように、係止金具の補強取付面が固定される機器取付手段が、箱本体の内面に固定された機器取付部、マウントレール、マウントレール固定用フレーム部材のいずれかであることが好ましい。また請求項３のように、機器取付部は、背面板の内面に取付ボルトの頭部を保持できる取付板によって固定されており、取付ボルトに電気機器を取り付けるための機器取付基板及び係止金具を固定したものが好ましい。また請求項４のように、係止金具がアイボルト取付面の１辺に補強取付面を垂下させたＬ字状のもの、あるいは請求項５のように、アイボルト取付面の２辺に補強取付面を垂下させたものであることが好ましい。さらに請求項６のように、係止金具がアイボルト取付面と補強取付面との間に補強部を備えたものであることが好ましい。
【発明の効果】
【０００８】
本発明の電気機器収納用箱は、天井面側のアイボルト取付面と、箱本体内部に電気機器を取付けるための機器取付手段に固定される補強取付面とを備えた係止金具を用いて吊下げアイボルトを取付けたものであるので、吊り上げ時に電気機器収納用箱の重量によって受ける負荷が天井以外にも分散される。このため従来のように天井部に負荷が集中することが防止され、変形や破断のおそれをなくすることができる。また請求項６のように係止金具のアイボルト取付面と補強取付面との間に補強部を形成しておけば、係止金具自体が変形したり破断したりすることがない。
【図面の簡単な説明】
【０００９】
【図１】本発明の実施形態を示す斜視図である。
【図２】係止金具を示す斜視図である。
【図３】要部の拡大断面図である。
【図４】箱本体の内部構造を示す斜視図である。
【図５】他の実施形態を示す斜視図である。
【図６】実施形態を示す斜視図である。
【図７】他の実施形態を示す斜視図である。
【図８】係止金具を示す斜視図である。
【発明を実施するための形態】
【００１０】
以下に本発明の実施形態を示す。
図１から図３は本発明の第１の実施形態を示すもので、１は箱本体であり、２はその天井板、３は背面板、４は側面板である。この箱本体１はモノコック式と呼ばれる骨格フレームのない構造のものである。図３に示されるように箱本体１の天井部には、吊下げアイボルト５が取付けられている。吊下げアイボルト５は周知のとおり、頭部をリング状として吊り上げ用フックを引っ掛けることができるようにしたボルトである。
【００１１】
６は吊り上げの際に吊下げアイボルト５に作用する荷重を受けるための係止金具であり、箱本体１の天井部の内面に配置されている。係止金具６は天井面側のアイボルト取付面７と、下方に垂下する補強取付面８とを備えたものであり、鋼鉄のような強度のある金属製とすることが好ましい。図２に示されるように、アイボルト取付面７と補強取付面８との間には補強部９を形成して強度を高めておくことが好ましい。補強部９は図示のような肉盛溶接のほか、鋼板を溶接するなど、任意の手段を採用することができる。なお１０はアイボルト取付面７に形成されたアイボルト挿通孔、１１は補強取付面８に形成されたボルト挿通孔である。
【００１２】
この実施形態の係止金具６は図２に示すようなＬ字状のものであり、アイボルト取付面７を天井板２の内面に密着させて配置される。吊下げアイボルト５は天井板２を貫通させ、さらにアイボルト取付面７に形成されたアイボルト挿通孔１０を貫通させたうえ、ナット１２を螺合させることによって天井面２に固定される。本発明ではこの係止金具６の下方に垂下した補強取付面８は、箱本体１の内部に電気機器を取付けるための機器取付手段に固定される。
【００１３】
図３に示すように、この実施形態では機器取付手段は、箱本体１の内面に固定された機器取付部１３である。具体的には、背面板３の内面に取付ボルト１４がそのボルト頭部を保持できる取付板１５によって固定されており、この取付ボルト１４に基板保持具１６を介して鋼板製の機器取付基板１７が固定されている。この機器取付基板１７は各種の電気機器を取付けるための機器取付部１３である。この実施形態では係止金具６の補強取付面８に形成されたボルト挿通孔１１に取付ボルト１４を通してナット１８で固定することによって、補強取付面８を機器取付基板１７に固定している。
【００１４】
このように構成された本発明の電気機器収納用箱は、吊下げアイボルト５によって吊り上げたときに天井部に作用する負荷を、係止金具６によって天井板２と箱本体１の内面に固定された機器取付部１３や背面板３に分散することができるので、従来のように電気機器収納用箱の天井部に負荷が集中することが防止され、変形や破断のおそれをなくすることができる。またこの実施形態のように機器取付基板１７の表面に係止金具６の補強取付面８を固定した場合には、据え付け工事の完了後に係止金具６を容易に取り外すことができる別の利点がある。なお、係止金具６を取り外した後は天井板２に形成した孔部は樹脂製のキャップなどで防ぐものである。
【００１５】
しかし係止金具６の補強取付面８を固定する位置やその形状については様々な変形が可能である。例えば図４に示すように、箱本体１の内部にはマウントレール２０や、このマウントレール２０の上下端部を取付けるための奥行き方向のマウントレール固定用フレーム部材２１などが設けられているが、係止金具６の補強取付面８をマウントレール２０やマウントレール固定用フレーム部材２１などに固定することもできる。係止金具６の補強取付面８をマウントレール２０やマウントレール固定用フレーム部材２１に対して固定した場合には、その固定位置を変更し易いため、吊り上げ時の重心位置に応じて吊下げアイボルト５の位置調節が可能となる別の利点がある。
【００１６】
また図５に示すように、係止金具６の補強取付面８を鋼板製の機器取付基板１７の裏側に固定することもできる。この実施形態のように固定した場合には、機器取付基板１７をを容易に取り外すことができる別の利点がある。この場合には、係止金具６の補強取付面８を箱本体１の背面板３に直接溶接することも可能である。その他に、機器取付部１３として背面板３や側面板４の内面に設けたボススタッドなどに固定するものであっても良い。
【００１７】
また図６に示すように、係止金具６の補強取付面８を幅広にして機器取付基板１７として用いることもできる。このように係止金具６の補強取付面８と機器取付基板１７とを兼用させれば、部品点数を削減することができ、コストダウンを図ることができる。
【００１８】
さらに図７、図８に示すように、係止金具６として、矩形のアイボルト取付面７の２辺に補強取付面８，８を垂下させ、一方を背面板３側に取り付け、他方を側面板４側に取付けることもできる。これらの補強取付面８，８間は溶接により一体化しておくことが好ましい。このような構造とすれば、負荷を天井板２、背面板３、側面板４の３面に分散させることができ、変形や破断のおそれをより確実に防止することができる利点がある。
【符号の説明】
【００１９】
１  箱本体
２  天井板
３  背面板
４  側面板
５  吊下げアイボルト
６  係止金具
７  アイボルト取付面
８  補強取付面
９  補強部
１０  アイボルト挿通孔
１１  ボルト挿通孔
１２  ナット
１３  機器取付部
１４  取付ボルト
１５  取付板
１６  基板保持具
１７  機器取付基板
１８  ナット
２０  マウントレール
２１  マウントレール固定用フレーム部材
【図１】
0005398625.tif 000002
【図２】
0005398625.tif 000003
【図３】
0005398625.tif 000004
【図４】
0005398625.tif 000005
【図５】
0005398625.tif 000006
【図６】
0005398625.tif 000007
【図７】
0005398625.tif 000008
【図８】
0005398625.tif 000009